(57)【要約】【課題】安全性を確保しつつ設計の自由度を向上可能な照明器具を提供する。【解決手段】光源装置４が有する発光ダイオードアレイ４０を、外部の電源６から供給された電力を変換した電力により点灯させる点灯回路５０を備える。光源装置４は、発光ダイオードアレイ４０への給電を受けるための受電端子４２とは別に、導電材料からなる被支持部４３を有する。また、被支持部４３を支持する支持部としての非給電ソケット１は、被支持部４３が支持されている状態でのみ被支持部４３とともに電源６から点灯回路５０への給電路を構成する２個の電路構成接触子５３を有する。被支持部４３が非給電ソケット１に支持されていない状態では電源６から点灯回路５０への給電が行われないことにより、取付が完了する前に受電端子４２が接続されるような構造としても安全性が損なわれないから、設計の自由度が向上する。【選択図】図１
2013251237.tif 000002
【特許請求の範囲】
【請求項１】
発光ダイオードアレイと前記発光ダイオードアレイの一端ずつに電気的に接続された一対の受電端子と導電材料からなる被支持部とを有する光源装置が接続される照明器具であって、
前記受電端子に接触導通する給電接触子と、電源に接続される電源端子と、前記電源端子に接続された前記電源から電力供給を受けて前記給電接触子を介した給電により前記発光ダイオードアレイを点灯させる点灯回路と、前記被支持部を支持する支持部とを備え、
前記支持部は、前記電源端子に電気的に接続された電源側接触子と、前記点灯回路の入力端に電気的に接続された回路側接触子とを備え、
前記支持部が前記被支持部を支持した状態では、前記電源側接触子と前記回路側接触子とが、前記被支持部を介して互いに電気的に接続され前記被支持部とともに前記電源端子から前記点灯回路への電路を構成することを特徴とする照明器具。
【請求項２】
前記電源側接触子と前記回路側接触子とは、互いに電気的に接続された２個の前記被支持部のうちの１個ずつに接触導通することを特徴とする請求項１記載の照明器具。
【発明の詳細な説明】
【技術分野】
【０００１】
本発明は、照明器具に関するものである。
【背景技術】
【０００２】
従来から、光源として発光ダイオードアレイを有する光源装置が着脱自在に接続される照明器具が提供されている。上記の光源装置は、細長い形状であって光源としての発光ダイオードアレイを保持した本体部と、本体部の両端に設けられた口金とを有する。
【０００３】
さらに、上記の光源装置としては、発光ダイオードアレイの一端ずつに電気的に接続された２個の受電端子が一方の口金に設けられ、他方の口金には接地端子が設けられたものがある（例えば、特許文献１参照）。
【０００４】
また、上記の光源装置としては、上記の口金が支持のみに用いられ、上記の受電端子が口金とは別途のコネクタに設けられたものもある（例えば、特許文献２参照）。
【先行技術文献】
【特許文献】
【０００５】
【特許文献１】特開２０１２−９３９２号公報
【特許文献２】実用新案登録第３１１９５７８号公報
【発明の概要】
【発明が解決しようとする課題】
【０００６】
従来は、光源装置の取付が完全でなくとも、受電端子の接触導通さえ完了していれば光源装置への給電がされていた。従って、安全を確保するためには、光源装置の取付が完了するまでは受電端子が接触導通しないような構造とする必要があり、設計の自由度が低かった。
【０００７】
本発明は、上記事由に鑑みて為されたものであり、その目的は、安全性を確保しつつ設計の自由度を向上可能な照明器具を提供することにある。
【課題を解決するための手段】
【０００８】
本発明の照明器具は、発光ダイオードアレイと前記発光ダイオードアレイの一端ずつに電気的に接続された一対の受電端子と導電材料からなる被支持部とを有する光源装置が接続される照明器具であって、前記受電端子に接触導通する給電接触子と、電源に接続される電源端子と、前記電源端子に接続された前記電源から電力供給を受けて前記給電接触子を介した給電により前記発光ダイオードアレイを点灯させる点灯回路と、前記被支持部を支持する支持部とを備え、前記支持部は、前記電源端子に電気的に接続された電源側接触子と、前記点灯回路の入力端に電気的に接続された回路側接触子とを備え、前記支持部が前記被支持部を支持した状態では、前記電源側接触子と前記回路側接触子とが、前記被支持部を介して互いに電気的に接続され前記被支持部とともに前記電源端子から前記点灯回路への電路を構成することを特徴とする。
【０００９】
上記の照明器具において、前記電源側接触子と前記回路側接触子とは、互いに電気的に接続された２個の前記被支持部のうちの１個ずつに接触導通するものであってもよい。
【発明の効果】
【００１０】
本発明によれば、支持部に被支持部が支持されていない状態では電源から点灯回路への給電が停止され、従って光源装置への給電も行われない。これにより、光源装置の支持が完了する前に受電端子が給電接触子に接触導通するような構造としても安全性が損なわれないから、設計の自由度が向上する。
【図面の簡単な説明】
【００１１】
【図１】本発明の実施形態の概略構成を示す説明図である。
【図２】同上を示す斜視図である。
【図３】同上の非給電ソケットを示す斜視図である。
【図４】同上の非給電ソケットを示す分解斜視図である。
【図５】同上の非給電ソケットの一方の電線挿入穴に電線が挿入された状態を示す斜視図である。
【図６】同上の変更例の概略構成を示す説明図である。
【発明を実施するための形態】
【００１２】
以下、本発明を実施するための最良の形態について、図面を参照しながら説明する。
【００１３】
本実施形態の照明器具は、図２に示すように、２個のソケット１，２と、各ソケット１，２をそれぞれ保持する器具本体３とを備える。
【００１４】
また、図１に示すように、本実施形態に接続される光源装置４は、発光ダイオードアレイ４０を保持した細長い形状の本体部４１を有する。本体部４１の長手方向の一端には、それぞれ導電材料からなり発光ダイオードアレイ４０の一端ずつに電気的に接続され一方のソケット（以下、「給電ソケット」と呼ぶ。）２に接続される２個の受電端子４２が設けられている。また、本体部４１の長手方向の他端には、導電材料からなり他方のソケット（以下、「非給電ソケット」と呼ぶ。）１に支持される被支持部４３が設けられている。上記のような光源装置４としては、例えばＪＥＬ８０１に準拠したものがある。
【００１５】
さらに、器具本体３には、点灯回路５０が保持されている。点灯回路５０は、外部の電源６から入力された電力を適宜の直流電力に変換して光源装置４に供給することで、光源装置４の発光ダイオードアレイを点灯させるものである。上記の電源６は例えば商用電源のような交流電源である。上記のような点灯回路５０は周知技術で実現可能であるので、詳細な図示並びに説明は省略する。
【００１６】
給電ソケット２は、導電材料からなり点灯回路５０の出力端に一対一に接続された２個の給電接触子５１を有する。さらに、給電ソケット２は、各受電端子４２を着脱自在に保持する適宜の構造を有しており、各受電端子４２がそれぞれ給電ソケット２に保持された状態では各受電端子４２は給電接触子５１に対して一対一に接触導通する。すなわち、点灯回路５０から光源装置４への給電は、給電接触子５１と受電端子４２とを介して行われる。上記のような給電ソケット２は周知技術で実現可能であるので、詳細な図示並びに説明は省略する。
【００１７】
また、器具本体３には、それぞれ一端が電源６に接続された電線（図示せず）の他端が接続される一対の電源端子５２が設けられている。すなわち、電源６と点灯回路５０との間には、上記の電線と電源端子５２とが介在する。
【００１８】
次に、非給電ソケット１について、図３〜図５を用いて説明する。以下、上下方向は図を基準とし、光源装置４の長手方向に向けられる方向を前後方向と呼び、上記の上下方向と前後方向とに直交する方向を左右方向と呼ぶ。また、非給電ソケット１において、上記の前後方向に向けられた面のうち、光源装置４に向けられる面を前面と呼ぶ。また、非給電ソケット１は、上端部において器具本体３に固定される。なお、上記の方向はあくまで説明の便宜上定義するものであって、実際の使用状態での方向とは必ずしも一致しない。
【００１９】
非給電ソケット１は、それぞれ導電材料からなる２個の電路構成接触子５３と、絶縁材料からなり各電路構成接触子５３を収納したハウジング１０とを有する。各電路構成接触子５３はそれぞれ金属板に打ち抜き加工と曲げ加工とが施されたものである。ハウジング１０は、前後方向において各電路構成接触子５３を挟んで互いに嵌合するボディ１１とカバー１２とからなる。ボディ１１とカバー１２とはそれぞれ例えば合成樹脂からなる。ボディ１１は、厚さ方向を前後方向に向けてハウジング１０の後面を構成する後壁部１１１と、後壁部１１１の前面に突設されて前方から見て各電路構成接触子５３を囲む立壁部１１２とを有する。カバー１２は、ボディ１１に対して前方から被着され、ハウジング１０の前面と上下左右の側面とを構成する。
【００２０】
また、ハウジング１０は、下方と前方とに開放され被支持部４３が下方から導入される端子導入口１０１を有し、各電路構成接触子５３はそれぞれ前方から見て端子導入口１０１内に左右の互いに異なる側から弾性的に突出する支持部５３１を有する。各支持部５３１はそれぞれ上下方向の端に向かって端子導入口１０１内への突出寸法が小さくなるような台形状とされている。下方から端子導入口１０１に導入された被支持部４３は各電路構成接触子５３を弾性変形させる。そして、被支持部４３が端子導入口１０１の上端に達したときに、各電路構成接触子５３がそれぞれ弾性復帰して支持部５３１が被支持部４３の下側に入り込むことで、被支持部４３の支持が達成される。
【００２１】
また、ハウジング１０の上端部には、他の部位よりも左右方向と前方とに突出した鍔部１０３が設けられている。さらに、ハウジング１０の前面と左右両面とにおいて、鍔部１０３の下側には、それぞれ係止凸部１０４，１０５が、鍔部１０３との間に隙間を空けて設けられている。非給電ソケット１は、器具本体３に設けられたソケット挿通穴３１の周縁部を、鍔部１０３と係止凸部１０４，１０５との間に挟むことで、器具本体３に対して固定されている。給電ソケット２も同様にして器具本体３に固定されている。なお、器具本体３に対する非給電ソケット１や給電ソケット２の固定には、ねじ止め等の他の周知の手段を用いてもよい。
【００２２】
さらに、ハウジング１０の上面には、電路構成接触子５３に一対一に対応する２個の電線挿入穴１０２が設けられている。各電路構成接触子５３は、対応する電線挿入穴１０２に図５のように一端部を挿入された電線５４が接続される端子部５３２を有する。端子部５３２は、周知の速結端子と同様の構造を有する。上記電線５４の他端部の接続は、例えば、上記他端部に固着された圧着端子５４１と、この圧着端子５４１を接続対象の導電体に対してねじ止めする端子ねじ５４２とを用いて達成される。
【００２３】
ここで、一方の電路構成接触子５３は電源側接触子として電線５４を介して一方の電源端子５２に電気的に接続され、他方の電路構成接触子５３は回路側接触子として電線５４を介して点灯回路５０の一方の入力端に電気的に接続される。すなわち、２個の電路構成接触子５３は、電源６から点灯回路５０への給電路に介在する。
【００２４】
非給電ソケット１に被支持部４３が支持された状態では、電路構成接触子５３同士が被支持部４３を介して互いに電気的に接続されるから、各電路構成接触子５３と被支持部４３とを介して電源６から点灯回路５０への給電が達成される。
【００２５】
一方、非給電ソケット１に被支持部４３が支持されていない状態では、電路構成接触子５３同士が互いに電気的に接続されないから、電源６から点灯回路５０への給電が停止される。
【００２６】
上記構成によれば、非給電ソケット１に被支持部４３が支持されていない状態では電源６から点灯回路５０への給電が停止され、従って光源装置４への給電も行われない。これにより、例えば光源装置４の取付（支持）が完了する前に受電端子４２が給電接触子５１に接触するような構造としても安全性が損なわれないから、設計の自由度が向上する。
【００２７】
なお、光源装置４としては、例えばＪＥＬ８０２に準拠したもののように、長手方向の両端部に２個ずつの被支持部４３を有するものを用いてもよい。さらに、上記の光源装置４において、図６に示すように、長手方向の各端部でそれぞれ被支持部４３同士が互いに電気的に接続されている場合、各電路構成接触子５３は、互いに異なる被支持部４３に接触導通するものであってもよい。また、図６の例では光源装置４の支持には２個の非給電ソケット１が用いられるが、電路構成接触子５３は一方の非給電ソケット１に設けられていればよい。図６の例では、発光ダイオードアレイ４０への給電は、コネクタ５５を介して行われる。コネクタ５５は、給電接触子５１を有するプラグ５５１と、受電端子４２を有してプラグ５５１が着脱自在に結合するレセプタクル５５２とからなる。プラグ５５１がレセプタクル５５２に結合した状態では、給電接触子５１と受電端子４２とが一対一に接触導通する。上記のようなコネクタ５５は周知技術で実現可能であるので、詳細な図示並びに説明は省略する。
【００２８】
また、電源側接触子と回路側接触子との一方又は両方を複数個とすることで、電路構成接触子を３個以上としてもよい。
【符号の説明】
【００２９】
１  非給電ソケット（支持部）
４  光源装置
４０  発光ダイオードアレイ
４２  受電端子
４３  被支持部
５０  点灯回路
５１  給電接触子
５２  電源端子
５３  電路構成接触子（電源側接触子または回路側接触子）
【図１】
2013251237.tif 000003
【図２】
2013251237.tif 000004
【図３】
2013251237.tif 000005
【図４】
2013251237.tif 000006
【図５】
2013251237.tif 000007
【図６】
2013251237.tif 000008